(57)【特許請求の範囲】
【請求項１】
角筒状のスリーブ１と、このスリーブ１に抜差されるトレー２と、前記スリーブ１とトレー２の間に収納可能な背凭れ３とから成り、これらを分離した状態で、前記スリーブ１を、背板１２で繋がった２個の分割体に分割し、背板１２を二つ折りにして、各分割体の背板１２同士を重ね合わせ、前記背凭れ３を、背当板３１及びその両側から延びる側支板３２にそれぞれ入れた腰折線３４及び斜折線３５沿いに折り曲げて、背当板３１を後方から側支板３２で支持するように後傾させ、前記スリーブ１の後方分割体の開口に背凭れ３の下部を差し込み、前記トレー２をスリーブ１の前方分割体の開口に臨む折曲片１８に載せ、背凭れ３の背当板３１に凭れさせて陳列する陳列ケース。
【発明の詳細な説明】
【０００１】
【発明の属する技術分野】
この発明は、商品の陳列と配送に兼用する段ボール製の陳列ケースに関するものである。
【０００２】
【従来の技術】
従来より、図１１に示すように、外箱９０に商品の菓子等を収納したトレー９１と折り畳んだスタンド９２とを収納し、小売店へ配送した後、外箱９０からトレー９１とスタンド９２とを取り出し、図１２に示すように、スタンド９２を組み立てて、その上にトレー９１を載せ、後傾した状態で陳列する場合がある。
【０００３】
【発明が解決しようとする課題】
しかしながら、上記のような方法によると、陳列時に外箱を廃棄しなければならず、解体等の手間を要する。
【０００４】
そこで、この発明は、梱包資材を有効活用して陳列できるケースを提供することを課題とする。
【０００５】
【課題を解決するための手段】
上記のような課題を解決するため、この発明は、角筒状のスリーブと、このスリーブに抜差されるトレーと、前記スリーブとトレーの間に収納可能な背凭れとから陳列ケースを構成し、これらを分離した状態で、前記スリーブを２個背中合わせに連結し、前記背凭れを腰折線及び斜折線沿いに折り曲げて後傾させ、前記スリーブの開口に背凭れの下部を差し込み、前記トレーをスリーブの開口縁に載せ、背凭れに凭れさせて陳列することとしたので、陳列時に外箱等を廃棄する必要がない。
【０００６】
【発明の実施の形態】
図１に示すように、この発明に係る陳列ケースは、スリーブ１、トレー２、背凭れ３及び補助背凭れ４から構成され、トレー２に仕切２１を内装して商品を収納し、スリーブ１に他の全ての部材を収納した状態で小売店へ配送される。そして、小売店において、図２に示すように、スリーブ１から他の部材を取り出して陳列用に組み立てる。
【０００７】
ここで、スリーブ１のブランクは、図３に示すように、表面板１０の両側縁に側面板１１を連設し、その一方の側面板１１に背面板１２を連設し、背面板１２の外側縁に継代片１３を設けたものであり、表面板１０と両側面板１１にはジッパから成る切離帯１４が、背面板１２には切離帯１４の延長上に折目線１５がそれぞれ形成されている。
【０００８】
また、表面板１０には、切離帯１４から両側縁に沿って下方へ向かうミシン目１６と、その下端を結ぶ横折線１７とが設けられ、その内部が折曲片１８となっている。背面板１２には、折目線１５を挟んで各２対の係合片１９が設けられ、継代片１３には折目線１５の延長上に切込２０が設けられている。
【０００９】
このブランクからスリーブ１を形成するには、表面板１０、一対の側面板１１及び背面板１２を角筒状に折り曲げ、継代片１３を反対側の側面板１１に貼り着ける。
【００１０】
背凭れ３のブランクは、図４に示すように、背当板３１の両側縁に側支板３２及び側重板３３を順次連設し、これらを横切って腰折線３４を形成し、側支板３２の腰折線３４より上方部分に上端へ向けて外側へ向かう斜折線３５を形成し、側重板３３の上部外縁を斜折線３５と対称になるように傾斜させ、腰折線３４と斜折線３５の交点に折り曲げを容易にする貫孔３６を設けたものとされ、梱包時には、側支板３２に側重板３３を重ね、これらを背当片３１に折り重ねてスリーブ１に収納される。
【００１１】
補助背凭れ４のブランクは、図５に示すように、背受板４１の下部両側縁に下側板４２を、上部両側縁に上側板４３及び受止板４４を順次連設し、背受板４１に縦折線４５及び横折線４６を設け、背受板４１の横折線４６以上の部分及び上側板４３を上窄まりとしたものであり、梱包時には、縦折線４５沿いに二つ折りにしてスリーブ１に収納される。
【００１２】
上記のような各部材から成る陳列ケースを図１に示す梱包状態から図６及び図７に示すような陳列状態に組み立てるには、図２に示すように各部材を分離し、スリーブ１において、表面板１０と両側面板１１とを切離帯１４沿いに切断した後、背面板１２を折目線１５沿いに二つ折りにし、係合片１９を同方向へ折り曲げて背面板１２同士を係合させる。
【００１３】
次に、補助背凭れ４において、下側板４２及び上側板４３を背受板４１に対し前方へ折り曲げ、受止板４４を外側へ折り曲げて、横折線４６以下の部分をスリーブ１の後方の開口に差し込む。また、背凭れ３において、側支板３２を後方へ折り曲げ、腰折線３４以下の部分をスリーブ１の後方の開口に差し込む。
【００１４】
そして、背凭れ３の側支板３２を斜折線３５沿いに張り出すように折り曲げることにより、背当板３１の腰折線３４以上の部分を後傾させ、スリーブ１において、ミシン目１６を切断し、折曲片１８を後方へ折り曲げ、その上にトレー２を載せて背当板３１に凭れさせると、トレー２は後傾した状態で支持される。
【００１５】
このように陳列状態に変形するに際し、上記ケースでは、外箱を廃棄する必要もなく、梱包資材を有効に活用して商品を陳列できる。
【００１６】
また、この陳列状態において、背凭れ３と補助背凭れ４とは筒状をなすので、トレー２は安定して支持される。
【００１７】
ここで、図２に示すように、トレー２の側面下部と、背凭れ３の背当片３１とに両面テープ２２、３７を予め貼り着けておき、陳列時にその離型紙を外してトレー２をスリーブ１及び背凭れ３に接着するようにすると、トレー２の転倒が確実に防止される。
【００１８】
なお、背凭れ３として、図８乃至図１０に示すようなものを使用してもよい。この背凭れ３は、図８に示すように、背当板３１の両側に繋がる側支板３２のうち、一方の側支板３２の外側縁に背支板３８及び継代片３９を順次連設し、背当板３１及び側支板３２に加えて、背支板３８にも腰折線３４と斜折線３５を形成したブランクから成り、図９に示すように、背当板３１、一対の側支板３２及び背支板３８を角筒状に折り曲げ、継代片３９を反対側の側支板３２に貼り着けた状態において、スリーブ１の内側に嵌めて梱包できるようになっている。
【００１９】
そして、陳列時には、図１０に示すように、腰折線３４以下の部分をスリーブ１の後方の開口に差し込み、側支板３２を斜折線３５沿いに側方に張り出すように折り曲げると共に、背支板３８を斜折線３５沿いに後方に張り出すように折り曲げることにより、背当板３１の腰折線３４より上方部分を後傾させ、スリーブ１に載せたトレー２を背当板３１に凭れさせて支持する。
【００２０】
このような背凭れ３は、それ自体が筒状となっているので、補助背凭れ４を使用しなくても、トレー２を堅固に支持できる。
【００２１】
【発明の効果】
以上のように、この発明に係る陳列ケースでは、トレー及び背凭れを収納するスリーブを基台として陳列することとしたので、陳列時に外箱等を廃棄することなく、梱包資材を有効に活用して商品を陳列することができ、陳列時の安定性にも優れたものとなる。
【図面の簡単な説明】
【図１】この発明に係る陳列ケースの梱包状態を示す斜視図
【図２】同上の分離状態を示す斜視図
【図３】同上のスリーブのブランクを示す図
【図４】同上の背凭れのブランクを示す図
【図５】同上の補助背凭れのブランクを示す図
【図６】同上の陳列状態を示す斜視図
【図７】同上の縦断側面図
【図８】同上の背凭れのブランクの他例を示す図
【図９】同上の梱包時の状態を示す斜視図
【図１０】同上の背凭れによる陳列状態を示す後方からの斜視図
【図１１】従来の外箱による梱包状態を示す斜視図
【図１２】同上の陳列状態を示す斜視図
【符号の説明】
１  スリーブ
２  トレー
３  背凭れ
４  補助背凭れ
１４  切離帯
１５  折目線
３１  背当板
３２  側支板
３４  腰折線
３５  斜折線
【図１】
0003848807.tif 000002
【図２】
0003848807.tif 000003
【図３】
0003848807.tif 000004
【図４】
0003848807.tif 000005
【図５】
0003848807.tif 000006
【図６】
0003848807.tif 000007
【図７】
0003848807.tif 000008
【図８】
0003848807.tif 000009
【図９】
0003848807.tif 000010
【図１０】
0003848807.tif 000011
【図１１】
0003848807.tif 000012
【図１２】
0003848807.tif 000013